(57)【要約】【課題】  視聴者の字幕の表示に対する視聴上違和感の発生の防止を図りつつ、合理的な字幕表示を行う。【解決手段】  解析部７１０が、表示情報提供部８１０から送られた映像情報ＩＭＤを解析し、表示優先度ごとに、表示部８２０における表示領域を特定し、特定結果を、解析結果ＡＮＲとして表示制御部７２０へ送る。解析結果ＡＮＲを受けると、表示制御部７２０は、表示情報提供部８１０から送られた字幕情報ＣＰＤに対応する字幕を表示するための表示部８２０における領域の確保処理を行う。そして、字幕を表示するための領域が確保できると、表示制御部７２０は、確保できた領域中に字幕表示領域を設定する。そして、表示制御部７２０は、設定された字幕表示領域の映像情報ＩＭＤに基づく映像に字幕を重ねた映像に対応する表示データＩＤＴを生成し、生成された表示データＩＤＴを表示部８２０へ送る。【選択図】  図１
2018098633.tif 000002
【特許請求の範囲】
【請求項１】
映像情報及び表示位置の指定がされていない字幕情報を含むコンテンツに関する表示制御を行う表示制御装置であって、
表示部に表示される前記映像情報に対応する映像のうち、所定表示優先度以上の映像が表示される優先表示領域に関する解析を行う解析部と；
前記解析部による解析結果及び前記字幕情報に基づき、前記表示部における字幕の表示位置を制御する表示制御部と；
を備える表示制御装置。
【請求項２】
前記所定表示優先度以上の映像には、前記字幕より表示優先度が高い第１種優先表示映像が含まれ、
前記解析結果により、前記第１種優先表示映像が含まれる場合、前記表示制御部は、前記表示部における前記第１種優先表示映像の表示領域と共通領域を含まない領域に、前記字幕を表示させる、
ことを特徴とする請求項１に記載の表示制御装置。
【請求項３】
前記第１種優先表示映像には、前記映像情報に含まれる文字情報に対応する映像が含まれる、ことを特徴とする請求項２に記載の表示制御装置。
【請求項４】
前記所定表示優先度以上の映像には、前記字幕よりも表示優先度が低い第２種優先表示映像が含まれ、
前記解析結果により、前記第２種優先表示映像が含まれ、かつ、前記優先表示領域を除く前記表示部の表示領域中に、前記字幕の表示領域を確保できない場合、前記表示制御部は、前記字幕の表示領域が確保できるまで、前記第２種優先表示映像における表示優先度が低い順に、前記優先表示領域を前記字幕の表示領域に割り当てる、
ことを特徴とする請求項１〜３のいずれか一項に記載の表示制御装置。
【請求項５】
前記第２種優先表示映像には、人物の顔の映像及び動きのある部分の映像が含まれ、
前記人物の顔の映像の表示優先度は、前記動きのある部分の映像の表示優先度よりも高い、
ことを特徴とする請求項４に記載の表示制御装置。
【請求項６】
解析部と；表示制御部と；を備え、映像情報及び表示位置の指定がされていない字幕情報を含むコンテンツに関する表示制御を行う表示制御装置において使用される表示制御方法であって、
前記解析部が、表示部に表示される前記映像情報に対応する映像のうち、所定表示優先度以上の映像が表示される優先表示領域に関する解析を行う解析工程と；
前記表示制御部が、前記解析部による解析結果及び前記字幕情報に基づき、字幕の前記表示部における表示位置を制御する表示制御工程と；
を備える表示制御方法。
【請求項７】
表示制御装置が有するコンピュータに、請求項６に記載の表示制御方法を実行させる、ことを特徴とする表示制御プログラム。
【請求項８】
表示制御装置が有するコンピュータにより読み取り可能に、請求項７に記載の表示制御プログラムが記録されている、ことを特徴とする記録媒体。
【発明の詳細な説明】
【技術分野】
【０００１】
本発明は、表示制御装置、表示制御方法及び表示制御プログラム、並びに、当該表示制御プログラムが記録された記録媒体に関する。
【背景技術】
【０００２】
従来から、地上デジタルテレビジョン放送を受信する放送受信装置が広く普及している。こうした放送受信装置では、放送波に含まれるトランスポートストリーム（transport stream：ＴＳ）から映像ストリームと字幕ストリームとを抽出し、映像ストリームに対応する映像に字幕を重畳させて、表示部に表示させるようになっている。
【０００３】
かかる映像ストリームに対応する映像に字幕を重畳させる際の技術として、映像ストリームに対応する映像に文字テロップ等の文字情報が含まれている場合に、当該文字情報の映像と字幕との重なり合いを防止し、文字情報及び字幕の双方を判読可能する技術が提案されている（特許文献１参照：以下、「従来例」という）。かかる従来例の技術では、文字情報を含む映像と字幕との表示タイミングが一致する場合に、字幕の表示タイミングをずらすことによって、文字情報の映像と字幕との重なり合いを防止する。この結果、従来例の技術によれば、文字情報及び字幕の双方の判読可能性を確保できるようになっている。
【先行技術文献】
【特許文献】
【０００４】
【特許文献１】特開２００９−１４１８９３号公報
【発明の開示】
【発明が解決しようとする課題】
【０００５】
従来例の技術では、映像に含まれる文字情報及び字幕の双方を確実に判読可能にすることができる。しかしながら、従来例の技術では、映像表示に対して字幕表示が遅れる場合があり、こうした場合には、視聴者に違和感を与えることが想定される。
【０００６】
また、映像中には、文字情報以外にも視認を可能な限り確保したい、登場人物の顔の映像等の視聴者にとっての重要映像も含まれている。こうした重要映像上への字幕の重畳表示については、回避できることが好ましい。
【０００７】
ところで、地上デジタルテレビジョン放送では、Ａ階層放送（ワンセグ放送）及びＢ階層放送（１２セグ放送）の２種類の方式の放送が行われている。ここで、Ｂ階層放送では、字幕の表示画面における表示位置が指定される。当該表示位置は、番組作成者により、映像の画面構成を考慮して指定されるのが一般的である。
【０００８】
一方、Ａ階層放送では、字幕の表示画面における表示位置が指定されない。この結果、Ａ階層放送の映像再生に際しては、字幕の表示位置についての自由度があるので、字幕の表示位置を設定することが可能である。しかしながら、字幕の表示位置を固定的な既定位置とすると、文字情報の映像や重要映像と字幕とが重なる事態が発生し、視聴者の文字情報や重要映像の視認を妨げることがある。
【０００９】
このため、Ａ階層放送のように字幕の表示画面における表示位置が指定されない場合に、視聴者の字幕に対する視聴上の違和感の発生の防止、及び、重要映像の継続的な表示を極力図りつつ、利用者にとって重要な情報である字幕を表示することができる技術が望まれている。かかる要請に応えることが、本発明が解決すべき課題の一つとして挙げられる。
【課題を解決するための手段】
【００１０】
請求項１に記載の発明は、映像情報及び表示位置の指定がされていない字幕情報を含むコンテンツに関する表示制御を行う表示制御装置であって、表示部に表示される前記映像情報に対応する映像のうち、所定表示優先度以上の映像が表示される優先表示領域に関する解析を行う解析部と；前記解析部による解析結果及び前記字幕情報に基づき、前記表示部における字幕の表示位置を制御する表示制御部と；を備える表示制御装置である。
【００１１】
請求項６に記載の発明は、解析部と；表示制御部と；を備え、映像情報及び表示位置の指定がされていない字幕情報を含むコンテンツに関する表示制御を行う表示制御装置において使用される表示制御方法であって、前記解析部が、表示部に表示される前記映像情報に対応する映像のうち、所定表示優先度以上の映像が表示される優先表示領域に関する解析を行う解析工程と；前記表示制御部が、前記解析部による解析結果及び前記字幕情報に基づき、字幕の前記表示部における表示位置を制御する表示制御工程と；を備える表示制御方法である。
【００１２】
請求項７に記載の発明は、表示制御装置が有するコンピュータに、請求項６に記載の表示制御方法を実行させる、ことを特徴とする表示制御プログラムである。
【００１３】
請求項８に記載の発明は、表示制御装置が有するコンピュータにより読み取り可能に、請求項７に記載の表示制御プログラムが記録されている、ことを特徴とする記録媒体である。
【図面の簡単な説明】
【００１４】
【図１】本発明の一実施形態に係る表示制御装置の構成を示すブロック図である。
【図２】本発明の一実施例に係る表示制御装置を備える放送受信装置の構成を概略的に示すブロック図である。
【図３】図２の再生処理ユニットの構成を示すブロック図である。
【図４】図３の放送コンテンツ処理部の構成を示すブロック図である。
【図５】図４のＡ階層処理部の構成を示すブロック図である。
【図６】図４のＢ階層処理部の構成を示すブロック図である。
【図７】図５の表示制御装置による表示制御処理を説明するためのフローチャートである。
【図８】図７の字幕の表示制御処理を説明するためのフローチャートである。
【図９】図８の文字情報非表示時の字幕の表示制御処理を説明するためのフローチャートである。
【図１０】図８の第１態様表示制御処理を説明するためのフローチャートである。
【図１１】図１０の第２種優先表示映像の割り当て処理を説明するためのフローチャートである。
【図１２】図８の第２態様表示制御処理を説明するためのフローチャートである。
【図１３】図８の第３態様表示制御処理を説明するためのフローチャートである。
【図１４】図８の第４態様表示制御処理を説明するためのフローチャートである。
【図１５】図９の第５態様表示制御処理を説明するためのフローチャートである。
【図１６】図９の第６態様表示制御処理を説明するためのフローチャートである。
【図１７】図９の第７態様表示制御処理を説明するためのフローチャートである。
【発明を実施するための形態】
【００１５】
以下、本発明の一実施形態を、図１を参照して説明する。
【００１６】
［構成］
図１には、一実施形態に係る表示制御装置７００の構成が示されている。この図１に示されるように、表示制御装置７００には、表示情報提供部８１０及び表示部８２０が接続されている。
【００１７】
上記の表示情報提供部８１０は、放送波に含まれるトランスポートストリームから映像情報ＩＭＤ及び字幕情報ＣＰＤを抽出する。そして、表示情報提供部８１０は、抽出された映像情報ＩＭＤ及び字幕情報ＣＰＤを表示制御装置７００へ送る。
【００１８】
上記の表示部８２０は、表示デバイスを備えて構成されている。この表示部８２０は、表示制御装置７００から送られた表示データＩＤＴを受ける。そして、表示部８２０は、表示データＩＤＴに対応する映像を表示デバイスに表示する。
【００１９】
＜表示制御装置７００の構成＞
上記の表示制御装置７００は、解析部７１０と、表示制御部７２０とを備えている。
【００２０】
上記の解析部７１０は、表示情報提供部８１０から送られた映像情報ＩＭＤを受ける。そして、解析部７１０は、映像情報ＩＭＤに対応する映像について、所定表示優先度以上の映像の表示部８２０での表示領域に関する解析を行う。解析部７１０による解析結果ＡＮＲは、表示制御部７２０へ送られる。
【００２１】
本実施形態では、所定表示優先度以上の映像としては、字幕よりも表示優先度が高い第１種優先表示映像と、字幕よりも表示優先度が低い第２種優先表示映像とがある。例えば、映像情報ＩＭＤに対応する映像に含まれるテロップ等の文字の映像を第１種優先表示映像とすることができる。
【００２２】
また、例えば、映像情報ＩＭＤに対応する映像に含まれる人物の顔の映像及び動きのある部分の映像を第２種優先表示映像とすることができる。ここで、例えば、人物の顔の映像の表示優先度を、動きのある部分の映像の表示優先度よりも高くしてもよい。また、例えば、文字の映像、人物の顔の映像、及び、動きのある部分の映像以外の映像情報ＩＭＤに対応する映像に含まれる映像を、所定表示優先度未満の映像とすることができる。
【００２３】
なお、解析部７１０における解析処理については、後述する。
【００２４】
上記の表示制御部７２０は、解析部７１０から送られた解析結果ＡＮＲ、並びに、表示情報提供部８１０から送られた映像情報ＩＭＤ及び字幕情報ＣＰＤを受ける。そして、表示制御部７２０は、解析結果ＡＮＲ、映像情報ＩＭＤ及び字幕情報ＣＰＤに基づいて、字幕の表示部８２０における表示位置を制御し、表示データＩＤＴを生成する。生成された表示データＩＤＴは、表示部８２０へ送られる。
【００２５】
なお、表示制御部７２０における処理については、後述する。
【００２６】
［動作］
次に、上記のように構成された表示制御装置７００の動作について、解析部７１０における解析処理、及び、表示制御部７２０による処理に主に着目して説明する。なお、字幕情報ＣＰＤにおいては、字幕表示位置が指定されていないものとして、以下の説明を行う。
【００２７】
＜解析部７１０における解析処理＞
解析部７１０は、表示情報提供部８１０から送られた映像情報ＩＭＤを解析し、表示優先度ごとに、表示部８２０における表示領域を特定する。そして、解析部７１０は、特定結果を、解析結果ＡＮＲとして、表示制御部７２０へ送る。
【００２８】
＜表示制御部７２０における処理＞
解析部７１０から送られた解析結果ＡＮＲを受けると、表示制御部７２０は、表示情報提供部８１０から送られた字幕情報ＣＰＤに対応する字幕を表示するための表示部８２０における領域の確保処理を行う。
【００２９】
かかる確保処理に際して、表示制御部７２０は、まず、表示情報提供部８１０から送られた映像情報ＩＭＤに対応する映像における第１種優先表示映像の表示領域を、字幕を表示するための領域から除外する。引き続き、表示制御部７２０は、第１種優先表示映像の表示領域を除外した領域中に字幕を表示するための領域を確保できるか否かの第１判定を行う。
【００３０】
第１判定が否定的であった場合には、表示制御部７２０は、字幕の表示部８２０への表示を断念し、映像情報ＩＭＤに対応する映像を表示させるための表示データＩＤＴを生成する。そして、表示制御部７２０は、生成された表示データＩＤＴを表示部８２０へ送る。
【００３１】
一方、第１判定が肯定的であった場合には、表示制御部７２０は、映像情報ＩＭＤに対応する映像における第２種優先表示映像の表示領域を更に除外した領域中に字幕を表示するための領域を確保できるか否かの第２判定を行う。第２判定の結果が肯定的であった場合には、第２種優先表示映像の表示領域を更に除外した領域中に字幕表示領域を設定する。引き続き、表示制御部７２０は、設定された字幕表示領域の映像情報ＩＭＤに基づく映像に字幕を重ねた映像に対応する表示データＩＤＴを生成する。そして、表示制御部７２０は、生成された表示データＩＤＴを表示部８２０へ送る。
【００３２】
第２判定の結果が否定的であった場合には、表示制御部７２０は、字幕表示領域が確保できるまで、第２種優先表示映像の表示領域を、表示優先度が低い順に、字幕表示領域に割り当てていく。そして、字幕表示領域が確保できるようになると、当該確保された領域中に字幕表示領域を設定する。
【００３３】
次に、表示制御部７２０は、設定された字幕表示領域の映像情報ＩＭＤに基づく映像に字幕を重ねた映像に対応する表示データＩＤＴを生成する。そして、表示制御部７２０は、生成された表示データＩＤＴを表示部８２０へ送る。
【００３４】
こうして生成された表示データＩＤＴを受けると、表示部８２０は、表示データＩＤＴに対応する映像を表示デバイスに表示する。
【００３５】
以上説明したように、本実施形態では、解析部７１０が、映像情報ＩＭＤを解析し、表示優先度ごとに、表示部８２０における表示領域を特定し、特定結果を、解析結果ＡＮＲとして、表示制御部７２０へ送る。解析部７１０から送られた解析結果ＡＮＲを受けると、表示制御部７２０は、表示情報提供部８１０から送られた字幕情報ＣＰＤに対応する字幕を表示するための表示部８２０における領域の確保処理を行う。そして、字幕を表示するための領域が確保できると、表示制御部７２０は、確保できた領域中に字幕表示領域を設定する。そして、表示制御部７２０は、設定された字幕表示領域の映像情報ＩＭＤに基づく映像に字幕を重ねた映像に対応する表示データＩＤＴを生成し、生成された表示データＩＤＴを表示部８２０へ送る。
【００３６】
したがって、本実施形態によれば、字幕の表示画面における表示位置が指定されない場合に、視聴者の字幕に対する視聴上の違和感の発生の防止を図りつつ、合理的な字幕表示を行うことができる。
【００３７】
また、本実施形態では、字幕よりも表示優先度が高い第１種優先表示映像が映像情報ＩＭＤに対応する映像に含まれる場合には、当該第１種優先表示映像の表示領域と共通領域を含まない領域の映像情報に基づく映像上に、字幕を表示させる制御を行う。このため、第１種優先表示映像の表示部８２０での表示を確保することができる。
【００３８】
また、本実施形態では、字幕よりも表示優先度が低い第２種優先表示映像が映像情報ＩＭＤに対応する映像に含まれ、かつ、優先表示映像以外の映像の表示部８２０での表示領域中に、字幕の表示領域を確保できない場合、字幕の表示領域が確保できるまで、第２種優先表示映像の表示領域を、表示優先度が低い順に、字幕表示領域に割り当てていく。このため、重要映像の継続的な表示を極力図りつつ、利用者にとって重要な情報である字幕を表示することができる。
【００３９】
［実施形態の変形］
本発明は、上記の実施形態に限定されるものではなく、様々な変形が可能である。
【００４０】
例えば、上記の実施形態では、字幕よりも表示優先度が高い第１種優先表示映像として、テロップ等の文字情報の映像を例示した。これに対し、第１種優先表示映像として、文字情報の映像に加えて、又は、代えて、他の映像を採用してもよい。
【００４１】
また、上記の実施形態では、字幕よりも表示優先度が低い第２種優先表示映像として、人物の顔の映像及び動きのある部分の映像を示した。これに対し、第２種優先表示映像として、人物の顔の映像及び動きのある部分の映像に加えて、又は、代えて、他の映像を採用してもよい。
【００４２】
なお、上記の実施形態の表示制御装置の一部又は全部を中央処理装置（ＣＰＵ：Central Processing Unit）、ＤＳＰ（Digital Signal Processor）等を備えた演算手段としてのコンピュータとして構成し、予め用意されたプログラムを当該コンピュータで実行することにより、上記の実施形態における表示制御装置の一部又は全部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【実施例】
【００４３】
以下、本発明の一実施例を、図２〜図１７を参照して説明する。なお、以下の説明及び図面においては、同一又は同等の要素については同一の符号を付し、重複する説明を省略する。
【００４４】
［構成］
図２には、一実施例に係る表示制御装置を備える放送受信装置１００の概略的な構成がブロック図にて示されている。当該放送受信装置１００が備える表示制御装置（後述する図５参照）は、上述した一実施形態の表示制御装置７００（図１参照）の一態様となっている。
【００４５】
本実施例では、放送受信装置１００は、地上デジタルテレビジョン放送波を受信して処理する。ここで、放送受信装置１００は、Ａ階層放送（ワンセグ放送）の放送コンテンツ及びＢ階層放送（１２セグ放送）の放送コンテンツを再生可能な装置となっている。
【００４６】
放送受信装置１００は、図２に示されるように、アンテナ１１０と、ＲＦ処理ユニット１２０と、再生処理ユニット１３０とを備えている。また、放送受信装置１００は、入力ユニット１４０と、音出力ユニット１５０と、表示ユニット１６０とを備えている。さらに、放送受信装置１００は、制御ユニット１９０と備えている。
【００４７】
上記のアンテナ１１０は、放送局から送信されている地上デジタルテレビジョン放送波を受信する。アンテナ１１０による受信信号ＲＦＳは、ＲＦ処理ユニット１２０へ送られる。
【００４８】
上記のＲＦ処理ユニット１２０は、アンテナ１１０から送られた受信信号ＲＦＳを受ける。そして、ＲＦ処理ユニット１２０は、制御ユニット１９０から送られた選局指令ＣＳＬに従って、選局すべき放送局の信号を受信信号ＲＦＳから抽出する選局処理を行い、所定の中間周波数帯の成分を有する中間周波信号に変換する。こうして得られた中間周波信号は、信号ＩＦＤとして再生処理ユニット１３０へ送られる。ここで、信号ＩＦＤは、デジタル信号になっている。
【００４９】
上記の再生処理ユニット１３０は、制御ユニット１９０による制御のもとで、ＲＦ処理ユニット１２０から送られる信号ＩＦＤを処理して、音出力ユニット１５０へ供給する音声データＡＤＴ及び表示ユニット１６０へ供給する表示データＩＤＴを生成する。再生処理ユニット１３０の構成の詳細については、後述する。
【００５０】
上記の入力ユニット１４０は、放送受信装置１００の本体部に設けられたキー部、及び／又はキー部を備えるリモート入力装置等により構成される。ここで、本体部に設けられたキー部としては、表示ユニット１６０の表示デバイスに設けられたタッチパネルを用いることができる。また、キー部を有する構成に代えて、又は併用して音声認識技術を利用して音声にて入力する構成を採用することもできる。
【００５１】
当該入力ユニット１４０を利用者が操作することにより、放送受信装置１００の動作内容の設定や動作指令の入力が行われる。例えば、放送局を指定した選局指定、字幕の表示指定等の利用者による入力が、入力ユニット１４０を利用して行われる。入力ユニット１４０への入力内容は、入力データＩＰＤとして、制御ユニット１９０へ送られる。
【００５２】
上記の音出力ユニット１５０は、（ｉ）再生処理ユニット１３０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。
【００５３】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から送られた表示データＩＤＴに基づいて、当該表示デバイスに画像を表示させる表示制御回路とを備えている。この表示ユニット１６０は、選局されているチャンネルに対応する放送映像及び当該放送の字幕を再生表示する。ここで、表示ユニット１６０は、上述した実施形態の表示部８２０の機能を果たすようになっている。
【００５４】
上記の制御ユニット１９０は、様々な処理を行うとともに、放送受信装置１００の全体の動作を制御する。制御ユニット１９０により行われる処理には、利用者による希望放送局の選局指定に対応した選局制御処理、利用者による字幕の表示指定に対応した字幕表示制御処理が含まれる。また、制御ユニット１９０により行われる処理には、Ａ階層放送及びＢ階層放送のうちのいずれかを出力対象放送に選択する階層選択制御処理等が含まれる。
【００５５】
希望放送局の選局制御処理に際して、制御ユニット１９０は、入力ユニット１４０から送られた選局指定を受けると、当該選局指定により指定された希望放送局に対応する選局指令ＣＳＬを生成する。そして、制御ユニット１９０は、生成された選局指令ＣＳＬをＲＦ処理ユニット１２０へ送る。
【００５６】
字幕表示制御処理に際して、制御ユニット１９０は、入力ユニット１４０から送られた字幕を表示する表示指定を受けると、字幕を表示する旨の指令ＣＤＣを生成する。そして、制御ユニット１９０は、生成された当該指令ＣＤＣを再生処理ユニット１３０へ送る。
【００５７】
また、字幕表示制御処理に際して、制御ユニット１９０は、入力ユニット１４０から送られた字幕を非表示にする非表示指定を受けると、字幕を非表示にする旨の指令ＣＤＣを生成する。そして、制御ユニット１９０は、生成された当該指令ＣＤＣをＲＦ処理ユニット１２０へ送る。
【００５８】
階層選択制御処理に際して、制御ユニット１９０は、再生処理ユニット１３０から送られたＣＮＲ（Carrier to Noise Ratio）の検出値ＣＮＲに基づいて、放送波の受信品質を評価する。そして、放送波の受信品質が所定値未満の場合には、制御ユニット１９０は、Ａ階層放送を出力対象放送に選択する選択指令ＳＬＢを生成して、再生処理ユニット１３０へ送る。一方、放送波の受信品質が所定値以上の場合には、制御ユニット１９０は、Ｂ階層放送を出力対象放送に選択する選択指令ＳＬＢを生成して、再生処理ユニット１３０へ送る。
【００５９】
＜再生処理ユニット１３０の構成＞
再生処理ユニット１３０の構成について、説明する。
【００６０】
再生処理ユニット１３０は、図３に示されるように、復調部１３１と、デマルチプレクサ部１３２と、放送コンテンツ処理部１３３とを備えている。
【００６１】
上記の復調部１３１は、ＲＦ処理ユニット１２０から送られた信号ＩＦＤを受ける。そして、復調部１３１は、信号ＩＦＤに対してＯＦＤＭ（Orthogonal Frequency Division Multiplex）復調を施す。こうして復調された信号は、信号ＤＭＤとして、デマルチプレクサ部１３２へ送られる。
【００６２】
また、復調部１３１は、信号ＩＦＤにおけるＣＮＲ（Carrier to Noise Ratio）を検出する。当該検出結果は、検出値ＣＮＲとして、制御ユニット１９０へ送られる。
【００６３】
上記のデマルチプレクサ部１３２は、復調部１３１から送られた信号ＤＭＤを受ける。そして、デマルチプレクサ部１３２は、信号ＤＭＤをＡ階層データパケットＡＰＫ及びＢ階層データパケットＢＰＫに分離する。こうして分離されたＡ階層データパケットＡＰＫ及びＢ階層データパケットＢＰＫは、放送コンテンツ処理部１３３へ送られる。
【００６４】
上記の放送コンテンツ処理部１３３は、デマルチプレクサ部１３２から送られたＡ階層データパケットＡＰＫ及びＢ階層データパケットＢＰＫを受ける。そして、放送コンテンツ処理部１３３は、制御ユニット１９０から送られる選択指令ＳＬＢ、字幕表示に関する指令ＣＤＣに従って、音声データＡＤＴを生成して音出力ユニット１５０へ送るとともに、表示データＩＤＴを生成して表示ユニット１６０へ送る。放送コンテンツ処理部１３３の構成の詳細については、後述する。
【００６５】
《放送コンテンツ処理部１３３の構成》
放送コンテンツ処理部１３３の構成について、説明する。
【００６６】
放送コンテンツ処理部１３３は、図４に示されるように、Ａ階層復号部２３１と、Ｂ階層復号部２３２とを備えている。また、放送コンテンツ処理部１３３は、Ａ階層処理部２３３と、Ｂ階層処理部２３４と、選択部２３５とを備えている。
【００６７】
上記のＡ階層復号部２３１は、デマルチプレクサ部１３２から送られたＡ階層データパケットＡＰＫを受ける。そして、Ａ階層復号部２３１は、地上デジタル放送におけるＡ階層放送に採用されているＨ．２６４／ＡＶＣ方式でエンコード化されたＡ階層データパケットＡＰＫのソースデコード処理を行い、Ａ階層放送に対応する復号音声データＤＡＤA、復号映像データＤＩＤA及び復号字幕データＤＣＤAを生成する。こうして生成された復号音声データＤＡＤA、復号映像データＤＩＤA及び復号字幕データＤＣＤAは、Ａ階層処理部２３３へ送られる。
【００６８】
上記のＢ階層復号部２３２は、デマルチプレクサ部１３２から送られたＢ階層データパケットＢＰＫを受ける。そして、Ｂ階層復号部２３２は、地上デジタル放送におけるＢ階層放送に採用されているＭＰＥＧ２方式でエンコード化されたＢ階層データパケットＢＰＫのソースデコード処理を行い、Ｂ階層放送に対応する復号音声データＤＡＤB、復号映像データＤＩＤB及び復号字幕データＤＣＤBを生成する。こうして生成された復号音声データＤＡＤB、復号映像データＤＩＤB及び復号字幕データＤＣＤBは、Ｂ階層処理部２３４へ送られる。
【００６９】
上記のＡ階層処理部２３３は、Ａ階層復号部２３１から送られた復号音声データＤＡＤA、復号映像データＤＩＤA及び復号字幕データＤＣＤAを受ける。そして、Ａ階層処理部２３３は、復号音声データＤＡＤAからＡ階層放送の音声データＡＤＴAを生成する。また、Ａ階層処理部２３３は、制御ユニット１９０から送られた字幕表示に関する指令ＣＤＣに従って、復号映像データＤＩＤA及び復号字幕データＤＣＤAから、Ａ階層放送の表示データＩＤＴAを生成する。こうして生成された音声データＡＤＴA及び表示データＩＤＴAは、選択部２３５へ送られる。Ａ階層処理部２３３の構成の詳細については、後述する。
【００７０】
上記のＢ階層処理部２３４は、Ｂ階層復号部２３２から送られた復号音声データＤＡＤB、復号映像データＤＩＤB及び復号字幕データＤＣＤBを受ける。そして、Ｂ階層処理部２３４は、復号音声データＤＡＤBからＢ階層放送の音声データＡＤＴBを生成する。また、Ｂ階層処理部２３４は、制御ユニット１９０から送られた字幕表示に関する指令ＣＤＣに従って、復号映像データＤＩＤB及び復号字幕データＤＣＤBから、Ｂ階層放送の表示データＩＤＴBを生成する。こうして生成された音声データＡＤＴB及び表示データＩＤＴBは、選択部２３５へ送られる。Ｂ階層処理部２３４の構成の詳細については、後述する。
【００７１】
上記の選択部２３５は、Ａ階層処理部２３３から送られたＡ階層放送の再生データである音声データＡＤＴA及び表示データＩＤＴAを受ける。また、選択部２３５は、Ｂ階層処理部２３４から送られたＢ階層放送の再生データである音声データＡＤＴB及び表示データＩＤＴBを受ける。そして、選択部２３５は、制御ユニット１９０から送られた選択指令ＳＬＢに従って、Ａ階層放送の再生データ及びＢ階層放送の再生データのいずれかを選択する。選択部２３５において選択された階層放送の再生データにおける音声データが、音声データＡＤＴとして音出力ユニット１５０へ送られる。また、選択部２３５において選択された階層放送の再生データにおける表示データが、表示データＩＤＴとして表示ユニット１６０へ送られる。
【００７２】
（Ａ階層処理部２３３の構成）
Ａ階層処理部２３３の構成について、説明する。
【００７３】
Ａ階層処理部２３３は、図５に示されるように、音声処理部２４１と、映像処理部２４２と、字幕処理部２４３とを備えている。また、Ａ階層処理部２３３は、表示制御装置３００を備えている。
【００７４】
上記の音声処理部２４１は、Ａ階層復号部２３１から送られた復号音声データＤＡＤAを受ける。そして、音声処理部２４１は、復号音声データＤＡＤAに基づいて、音声データＡＤＴAを生成する。こうして生成された音声データＡＤＴAは、選択部２３５へ送られる。
【００７５】
本実施例では、音声処理部２４１は、表示データＩＤＴAと同期した音声データＡＤＴAを選択部２３５へ出力するための、いわゆるリングバッファ記憶領域を有している。
【００７６】
上記の映像処理部２４２は、Ａ階層復号部２３１から送られた復号映像データＤＩＤAを受ける。そして、映像処理部２４２は、復号映像データＤＩＤAに基づいて、映像データＩＭＤAを生成する。こうして生成された映像データ（映像情報）ＩＭＤAは、表示制御装置３００へ送られる。ここで、映像処理部２４２は、上述した実施形態の表示情報提供部８１０の一部の機能を果たすようになっている。
【００７７】
本実施例では、映像処理部２４２は、１フレーム分の映像データを記憶するフレーム単位記憶領域を２つ有し、これら２つのフレーム単位記憶領域は、いわゆるトグルバッファ構成とされている。
【００７８】
上記の字幕処理部２４３は、Ａ階層復号部２３１から送られた復号字幕データＤＣＤAを受ける。そして、字幕処理部２４３は、復号字幕データＤＣＤAに基づいて、字幕データＣＰＤAを生成する。こうして生成された字幕データ（字幕情報）ＣＰＤAは、表示制御装置３００へ送られる。ここで、映像処理部２４２は、上述した実施形態の表示情報提供部８１０の一部の機能を果たすようになっている。また、Ａ階層放送の字幕データＣＰＤAにおいては、字幕の表示位置が指定されていない。
【００７９】
本実施例では、字幕処理部２４３は、１フレーム分の字幕データを記憶するフレーム単位記憶領域を２つ有し、これら２つのフレーム単位記憶領域は、いわゆるトグルバッファ構成とされている。
【００８０】
上記の表示制御装置３００は、図５に示されるように、解析部３１０と、表示制御部３２０とを備えている。
【００８１】
上記の解析部３１０は、映像処理部２４２から送られた映像データＩＭＤAを受ける。そして、解析部３１０は、映像データＩＭＤAに対応する映像について、所定表示優先度以上の映像の有無の解析、すなわち、字幕よりも表示優先度が高い第１種優先表示映像である「文字情報の映像」が含まれているかの解析、及び、字幕よりも表示優先度が低い第２種優先表示映像である「人物の顔の映像」、「動きのある部分の映像」が含まれているかの解析を行う。本実施例では、「人物の顔の映像」の表示優先度を、「動きのある部分の映像」の表示優先度よりも高くしている。また、第１種優先表示映像及び第２種優先表示映像を総称して、「優先表示映像」とも記す。
【００８２】
ここで、文字情報には、映像に含まれるテロップや文字スーパーに限らず、ニュース番組やクイズ番組の説明用のボードに記載された文字等も含まれる。また、文字には、平仮名、片仮名、漢字、外国の文字、数字、記号等のあらゆるコードのものが含まれる。また、動きのある部分の映像の例としては、手話を行っている手部等が挙げられる。
【００８３】
解析部３１０は、映像データＩＭＤAに対応する映像に、優先表示映像が含まれている場合には、所定表示優先度以上の映像が表示される優先表示領域に関する解析、すなわち、映像データＩＭＤAに対応する映像における優先表示映像の表示ユニット１６０の表示デバイスでの表示領域を特定する。そして、解析部３１０は、映像データＩＭＤAに対応する映像に含まれている優先表示映像の種類及び当該優先表示映像の表示領域に関する情報を、解析結果ＡＮＲとして表示制御部３２０へ送る。
【００８４】
また、解析部３１０は、映像データＩＭＤAに基づく映像に、「文字情報の映像」が含まれている場合には、当該文字情報の映像が動的であるか否かを解析する。そして、解析部３１０は、文字情報の映像が動的である場合には、その旨を解析結果ＡＮＲとして表示制御部３２０へ送る。また、文字情報が動的でなかった場合には、解析部３１０は、当該文字情報の内容を解析し、文字情報の映像が動的である旨、及び、当該文字情報の文字列の内容を、解析結果ＡＮＲとして表示制御部３２０へ送る。ここで、文字情報の映像が動的である場合の例として、ニュース速報や緊急警報の点滅表示や、放送番組のエンドロール等が挙げられる。
【００８５】
上記の表示制御部３２０は、映像処理部２４２から送られた映像データＩＭＤAを受けるとともに、解析部３１０から送られた映像データＩＭＤAの解析結果ＡＮＲを受ける。また、表示制御部３２０は、字幕処理部２４３から送られた字幕データＣＰＤAを受ける。さらに、表示制御部３２０は、制御ユニット１９０から送られた字幕表示に関する指令ＣＤＣを受ける。
【００８６】
そして、当該指令ＣＤＣの内容が、字幕を非表示にするものであるときには、表示制御部３２０は、映像処理部２４２から送られた映像データＩＭＤAを、表示データＩＤＴAとして選択部２３５へ送る。一方、当該指令ＣＤＣの内容が、字幕を表示するものであるときには、映像データＩＭＤA、字幕データＣＰＤA、解析部３１０から送られた解析結果ＡＮＲに基づいて、字幕の表示デバイスにおける表示位置を制御した表示データＩＤＴAを生成し、当該表示データＩＤＴAを選択部２３５へ送る。表示制御部３２０が実行する制御処理の詳細については、後述する。
【００８７】
本実施例では、表示制御部３２０は、解析部３１０による解析結果ＡＮＲを反映し、かつ、映像データＩＭＤAと字幕データＣＰＤAとが同期した表示データＩＤＴAを選択部２３５へ出力するため、映像データＩＭＤAをバッファリングするための記憶領域と、字幕データＣＰＤAをバッファリングするための記憶領域とを有している。
【００８８】
（Ｂ階層処理部２３４の構成）
Ｂ階層処理部２３４の構成について、説明する。
【００８９】
Ｂ階層処理部２３４は、図６に示されるように、音声処理部２５１と、映像処理部２５２と、字幕処理部２５３とを備えている。また、Ｂ階層処理部２３４は、表示制御部２５６を備えている。
【００９０】
上記の音声処理部２５１は、Ｂ階層復号部２３２から送られた復号音声データＤＡＤBを受ける。そして、音声処理部２５１は、復号音声データＤＡＤBに基づいて、音声データＡＤＴBを生成する。こうして生成された音声データＡＤＴBは、選択部２３５へ送られる。
【００９１】
上記の映像処理部２５２は、Ｂ階層復号部２３２から送られた復号映像データＤＩＤBを受ける。そして、映像処理部２５２は、復号映像データＤＩＤBに基づいて、映像データＩＭＤBを生成する。こうして生成された映像データＩＭＤBは、表示制御部２５６へ送られる。
【００９２】
上記の字幕処理部２５３は、Ｂ階層復号部２３２から送られた復号字幕データＤＣＤBを受ける。そして、字幕処理部２５３は、復号字幕データＤＣＤBに基づいて、字幕データＣＰＤBを生成する。こうして生成された字幕データＣＰＤBは、表示制御部２５６へ送られる。ここで、Ｂ階層放送の字幕データＣＰＤBにおいては、字幕の表示位置が指定されている。
【００９３】
上記の表示制御部２５６は、映像処理部２５２から送られた映像データＩＭＤBを受け、字幕処理部２５３から送られた字幕データＣＰＤBを受ける。また、表示制御部２５６は、制御ユニット１９０から送られた字幕表示に関する指令ＣＤＣを受ける。そして、当該指令ＣＤＣの内容が、字幕を表示するものであるときには、表示制御部２５６は、映像データＩＭＤB及び字幕データＣＰＤBに基づき、映像データＩＭＤBに基づく映像に字幕を重ねた映像に対応する表示データＩＤＴBを生成し、当該表示データＩＤＴBを選択部２３５へ送る。ここで、当該字幕は、指定された表示位置の映像データＩＭＤBに基づく映像に重ねられる。
【００９４】
また、当該指令ＣＤＣの内容が、字幕情報を非表示にするものであるときには、表示制御部２５６は、映像処理部２５２から送られた映像データＩＭＤBを、表示データＩＤＴBとして選択部２３５へ送る。
【００９５】
［動作］
以上のようにして構成された放送受信装置１００の動作について、表示制御装置３００による放送コンテンツの字幕情報の表示制御処理に主に着目して説明する。
【００９６】
前提として、利用者による希望放送局を指定した選局指定が入力ユニット１４０を利用して行われ、制御ユニット１９０が、当該選局指定により指定された希望放送局に対応する選局指令ＣＳＬを生成して、ＲＦ処理ユニット１２０へ送っているものとする。また、利用者による字幕を表示することを指定した表示指定が入力ユニット１４０を利用して行われ、制御ユニット１９０が、当該表示指定に対応する指令ＣＤＣを生成して、再生処理ユニット１３０へ送っているものとする。
【００９７】
なお、以下では、放送波の受信品質が所定値未満であり、選択部２３５によりＡ階層放送（ワンセグ放送）が出力対象放送に選択されるものとして、説明を行う。
【００９８】
ＲＦ処理ユニット１２０は、当該選局指令ＣＳＬを受けると、希望放送局の信号を受信信号ＲＦＳから抽出する選局処理を行い、所定の中間周波数帯の成分を有する信号ＩＦＤに変換する。そして、ＲＦ処理ユニット１２０は、当該信号ＩＦＤを再生処理ユニット１３０へ送る（図２参照）。
【００９９】
再生処理ユニット１３０では、復調部１３１が、ＲＦ処理ユニット１２０から送られた信号ＩＦＤの復調処理を行い、信号ＤＭＤを生成する。そして、復調部１３１は、生成された信号ＤＭＤをデマルチプレクサ部１３２へ送る（図３参照）。また、復調部１３１は、信号ＩＦＤにおけるＣＮＲを検出し、検出値ＣＮＲを制御ユニット１９０へ逐次送る（図３参照）。次いで、デマルチプレクサ部１３２が、復調部１３１から送られた信号ＤＭＤをＡ階層データパケットＡＰＫ及びＢ階層データパケットＢＰＫに分離する。そして、デマルチプレクサ部１３２は、Ａ階層データパケットＡＰＫ及びＢ階層データパケットＢＰＫを放送コンテンツ処理部１３３へ送る（図３参照）。
【０１００】
検出値ＣＮＲを受けた制御ユニット１９０は、選局指定された希望放送局の放送波の受信品質を評価し、当該受信品質に基づいて、Ａ階層放送を出力対象放送に選択する選択指令ＳＬＢを生成する。そして、制御ユニット１９０は、当該選択指令ＳＬＢを放送コンテンツ処理部１３３の選択部２３５へ送る（図４参照）。
【０１０１】
放送コンテンツ処理部１３３では、Ａ階層復号部２３１が、デマルチプレクサ部１３２から送られたＡ階層データパケットＡＰＫのソースデコード処理を行い、復号音声データＤＡＤA、復号映像データＤＩＤA及び復号字幕データＤＣＤAを生成する。そして、Ａ階層復号部２３１は、これらのデータをＡ階層処理部２３３へ送る（図４参照）。
【０１０２】
引き続き、Ａ階層処理部２３３では、音声処理部２４１が、復号音声データＤＡＤAに基づいて音声データＡＤＴAを生成し、当該音声データＡＤＴAを選択部２３５へ送る。また、Ａ階層処理部２３３では、映像処理部２４２が、復号映像データＤＩＤAに基づいて映像データＩＭＤAを生成し、当該映像データＩＭＤAを表示制御装置３００の解析部３１０及び表示制御部３２０へ逐次送る。
【０１０３】
さらに、Ａ階層処理部２３３では、字幕処理部２４３が、復号字幕データＤＣＤAに基づいて、字幕データＣＰＤAを生成し、当該字幕データＣＰＤAを表示制御装置３００の表示制御部３２０へ逐次送る（図５参照）。
【０１０４】
＜表示制御装置３００による表示制御処理＞
表示制御装置３００では、解析部３１０が、映像処理部２４２から送られた映像データＩＭＤAを受けるごとに、当該映像データＩＭＤAの解析を行う。かかる解析に際して、解析部３１０は、映像データＩＭＤAに対応する映像について、表示優先度が高い優先表示映像が含まれているか否かを解析する。そして、解析部３１０は、映像データＩＭＤAに対応する映像に、優先表示映像が含まれている場合には、映像データＩＭＤAに対応する映像における優先表示映像の表示デバイスでの表示領域を特定する。
【０１０５】
また、解析部３１０は、映像データＩＭＤAに基づく映像に、文字情報が含まれている場合には、当該文字情報の映像が動的であるか否かを解析する。そして、解析部３１０は、文字情報が動的でなかった（文字情報が静的である）場合には、当該文字情報の文字列の内容を解析する。解析部３１０は、これらの解析内容を、解析結果ＡＮＲとして逐次、表示制御部３２０へ送る。
【０１０６】
このような状況のもとで、図７に示されるように、まず、ステップＳ１０において、表示制御部３２０が、解析結果ＡＮＲを受けたか否かを判定する。この判定の結果が否定的であった場合（ステップＳ１０：Ｎ）には、ステップＳ１０の処理が繰り返される。解析部３１０から送られた解析結果ＡＮＲを受けて、ステップＳ１０における判定の結果が肯定的になると（ステップＳ１０：Ｙ）、処理はステップＳ１１へ進む。
【０１０７】
ステップＳ１１では、表示制御部３２０が、字幕があるか否かを判定する。この判定の結果が否定的であった場合（ステップＳ１１：Ｎ）には、処理は、後述するステップＳ１５へ進む。一方、ステップＳ１１における判定の結果が肯定的であった場合（ステップＳ１１：Ｙ）には、処理はステップＳ１２へ進む。
【０１０８】
ステップＳ１２では、表示制御部３２０が、解析部３１０から送られた解析結果ＡＮＲに基づいて、映像データＩＭＤAに対応する映像に、第１種優先表示映像である「文字情報の映像」が含まれているか否かを判定する。この判定の結果が否定的であった場合（ステップＳ１２：Ｎ）には、表示制御部３２０は、文字検出フラグＦＣＬを「０」に設定する。この後、処理はステップＳ１６へ進む。ステップＳ１６では、表示制御部３２０が、「字幕の表示制御処理」を行う。かかるステップＳ１６の処理の詳細については、後述する。そして、ステップＳ１６の処理が終了すると、処理はステップＳ１０へ戻る。
【０１０９】
ステップＳ１２における判定の結果が肯定的であった場合（ステップＳ１２：Ｙ）には、表示制御部３２０は、文字検出フラグＦＣＬを「１」に設定する。この後、処理はステップＳ１３へ進む。ステップＳ１３では、表示制御部３２０が、解析部３１０から送られた解析結果ＡＮＲに基づいて、文字情報の映像が動的であるか否かを判定する。この判定の結果が肯定的だった場合（ステップＳ１３：Ｙ）には、処理は、後述するステップＳ１６へ進む。そして、ステップＳ１６の処理が終了すると、処理はステップＳ１０へ戻る。
【０１１０】
ステップＳ１３における判定の結果が否定的であった場合（ステップＳ１３：Ｎ）には、処理はステップＳ１４へ進む。ステップＳ１４では、表示制御部３２０が、字幕データＣＰＤA及び解析結果ＡＮＲに基づいて、字幕データＣＰＤAの内容と文字情報の内容とが同一であるか否かを判定する。この判定の結果が肯定的であった場合（ステップＳ１４：Ｙ）には、処理はステップＳ１５へ進む。ステップＳ１５では、表示制御部３２０が、「字幕の非表示制御処理」を行う。かかる「字幕の非表示制御処理」に際して、表示制御部３２０は、映像データＩＭＤAに対応する映像をそのまま表示させるための表示データＩＤＴAを生成する。そして、表示制御部３２０は、生成された表示データＩＤＴAを選択部２３５へ送る。この後、処理はステップＳ１０へ戻る。
【０１１１】
一方、ステップＳ１４における判定の結果が否定的であった場合（ステップＳ１４：Ｎ）には、処理はステップＳ１６へ進む。そして、ステップＳ１６の処理が終了すると、処理はステップＳ１０へ戻る。以後、ステップＳ１０〜Ｓ１６の処理が繰り返されて、表示制御処理が行われる。
【０１１２】
＜字幕の表示制御処理＞
上述したステップＳ１６における「字幕の表示制御処理」について、説明する。
【０１１３】
この「字幕の表示制御処理」は、図８に示されるように、まず、ステップＳ２１において、表示制御部３２０が、文字検出フラグＦＣＬが「１」に設定されているか否かを判定する。この判定の結果が肯定的であった場合（ステップＳ２１：Ｙ）には、処理はステップＳ２２へ進む。ステップＳ２２では、表示制御部３２０が、解析結果ＡＮＲに基づいて、映像データＩＭＤAに対応する映像に、第２種優先表示映像である「人物の顔の映像（以下、「顔像」とも記す）」が含まれているか否かを判定する。この判定の結果が肯定的であった場合（ステップＳ２２：Ｙ）には、処理はステップＳ２３へ進む。
【０１１４】
ステップＳ２３では、表示制御部３２０が、解析結果ＡＮＲに基づいて、映像データＩＭＤAに対応する映像に、第２種優先表示映像である「動きのある部分の映像（以下、「動きのある映像部分」とも記す）」が含まれているか否かを判定する。この判定の結果が肯定的であった場合（ステップＳ２３：Ｙ）には、処理はステップＳ２４へ進む。このステップＳ２４では、表示制御部３２０が、「第１態様表示制御処理」を行う。当該「第１態様表示制御処理」は、映像データＩＭＤAに対応する映像に、「文字情報の映像」、「人物の顔の映像」及び「動きのある部分の映像」が含まれているときの、字幕の表示制御処理である。かかるステップＳ２４の処理の詳細については、後述する。ステップＳ２４の処理が終了すると、ステップＳ１６の処理が終了する。そして、処理は上述した図７のステップＳ１０へ戻る。
【０１１５】
一方、ステップＳ２３における判定の結果が否定的であった場合（ステップＳ２３：Ｎ）には、処理はステップＳ２５へ進む。このステップＳ２５では、表示制御部３２０が、「第２態様表示制御処理」を行う。当該「第２態様表示制御処理」は、映像データＩＭＤAに対応する映像に、「文字情報の映像」及び「人物の顔の映像」が含まれているときの、字幕の表示制御処理である。かかるステップＳ２５の処理の詳細については、後述する。ステップＳ２５の処理が終了すると、ステップＳ１６の処理が終了する。そして、処理は上述した図７のステップＳ１０へ戻る。
【０１１６】
上述したステップＳ２２における判定の結果が否定的であった場合（ステップＳ２２：Ｎ）には、処理はステップＳ２６へ進む。ステップＳ２６では、表示制御部３２０が、解析結果ＡＮＲに基づいて、映像データＩＭＤAに対応する映像に、第２種優先表示映像である「動きのある部分の映像」が含まれているか否かを判定する。この判定の結果が肯定的であった場合（ステップＳ２６：Ｙ）には、処理はステップＳ２７へ進む。このステップＳ２７では、表示制御部３２０が、「第３態様表示制御処理」を行う。当該「第３態様表示制御処理」は、映像データＩＭＤAに対応する映像に、「文字情報の映像」及び「動きのある部分の映像」が含まれているときの、字幕の表示制御処理である。かかるステップＳ２７の処理の詳細については、後述する。ステップＳ２７の処理が終了すると、ステップＳ１６の処理が終了する。そして、処理は上述した図７のステップＳ１０へ戻る。
【０１１７】
一方、ステップＳ２６における判定の結果が否定的であった場合（ステップＳ２６：Ｎ）には、処理はステップＳ２８へ進む。このステップＳ２８では、表示制御部３２０が、「第４態様表示制御処理」を行う。当該「第４態様表示制御処理」は、映像データＩＭＤAに対応する映像に、「文字情報の映像」が含まれているときの、字幕の表示制御処理である。かかるステップＳ２８の処理の詳細については、後述する。ステップＳ２８の処理が終了すると、ステップＳ１６の処理が終了する。そして、処理は上述した図７のステップＳ１０へ戻る。
【０１１８】
上述したステップＳ２１における判定の結果が否定的であった場合（ステップＳ２１：Ｎ）には、処理はステップＳ２９へ進む。ステップＳ２９では、表示制御部３２０が、「文字情報非表示時の字幕の表示制御処理」を行う。かかるステップＳ２９の処理の詳細については、後述する。ステップＳ２９の処理が終了すると、ステップＳ１６の処理が終了する。そして、処理は上述した図７のステップＳ１０へ戻る。
【０１１９】
《文字情報非表示時の字幕の表示制御処理》
次に、上述したステップＳ２９における「文字情報非表示時の字幕の表示制御処理」について、説明する。
【０１２０】
この「文字情報非表示時の字幕の表示制御処理」は、図９に示されるように、まず、ステップＳ３１において、表示制御部３２０が、解析結果ＡＮＲに基づいて、映像データＩＭＤAに対応する映像に、第２種優先表示映像である「人物の顔の映像」が含まれているか否かを判定する。この判定の結果が肯定的であった場合（ステップＳ３１：Ｙ）には、処理はステップＳ３２へ進む。
【０１２１】
ステップＳ３２では、表示制御部３２０が、解析結果ＡＮＲに基づいて、映像データＩＭＤAに対応する映像に、第２種優先表示映像である「動きのある部分の映像」が含まれているか否かを判定する。この判定の結果が肯定的であった場合（ステップＳ３２：Ｙ）には、処理はステップＳ３３へ進む。このステップＳ３３では、表示制御部３２０が、「第５態様表示制御処理」を行う。当該「第５態様表示制御処理」は、映像データＩＭＤAに対応する映像に、「人物の顔の映像」及び「動きのある部分の映像」が含まれているときの、字幕の表示制御処理である。かかるステップＳ３３の処理の詳細については、後述する。ステップＳ３３の処理が終了すると、ステップＳ２９が終了する。この結果、図８のステップＳ１６の処理が終了する。そして、処理は上述した図７のステップＳ１０へ戻る。
【０１２２】
一方、ステップＳ３２における判定の結果が否定的であった場合（ステップＳ３２：Ｎ）には、処理はステップＳ３４へ進む。このステップＳ３４では、表示制御部３２０が、「第６態様表示制御処理」を行う。当該「第６態様表示制御処理」は、映像データＩＭＤAに対応する映像に、「人物の顔の映像」が含まれているときの、字幕の表示制御処理である。かかるステップＳ３４の処理の詳細については、後述する。ステップＳ３４の処理が終了すると、ステップＳ２９が終了する。この結果、図８のステップＳ１６の処理が終了する。そして、処理は上述した図７のステップＳ１０へ戻る。
【０１２３】
上述したステップＳ３１における判定の結果が否定的であった場合（ステップＳ３１：Ｎ）には、処理はステップＳ３５へ進む。ステップＳ３５では、表示制御部３２０が、解析結果ＡＮＲに基づいて、映像データＩＭＤAに対応する映像に、第２種優先表示映像である「動きのある部分の映像」が含まれているか否かを判定する。この判定の結果が肯定的であった場合（ステップＳ３５：Ｙ）には、処理はステップＳ３６へ進む。このステップＳ３６では、表示制御部３２０が、「第７態様表示制御処理」を行う。当該「第７態様表示制御処理」は、映像データＩＭＤAに対応する映像に、「動きのある部分の映像」が含まれているときの、字幕の表示制御処理である。かかるステップＳ３６の処理の詳細については、後述する。ステップＳ３６の処理が終了すると、ステップＳ２９が終了する。この結果、図８のステップＳ１６の処理が終了する。そして、処理は上述した図７のステップＳ１０へ戻る。
【０１２４】
一方、ステップＳ３５における判定の結果が否定的であった場合（ステップＳ３５：Ｎ）には、処理はステップＳ３７へ進む。このステップＳ３７では、表示制御部３２０が、「第８態様表示制御処理」を行う。当該「第８態様表示制御処理」は、映像データＩＭＤAに対応する映像に、「文字情報の映像」、「人物の顔の映像」及び「動きのある部分の映像」の全てが含まれていないときの、字幕の表示制御処理である。
【０１２５】
このステップＳ３７では、表示制御部３２０が、予め既定された字幕表示領域の映像データＩＭＤAに基づく映像に字幕を重ねた映像に対応する表示データＩＤＴAを生成する。引き続き、表示制御部３２０は、生成された表示データＩＤＴAを選択部２３５へ送る。この結果、表示ユニット１６０の表示デバイスには、既定された字幕表示領域に字幕が重畳された放送映像が表示される。
【０１２６】
ステップＳ３７の処理が終了すると、ステップＳ１９が終了する。この結果、図８のステップＳ１６の処理が終了する。そして、処理は上述した図７のステップＳ１０へ戻る。
【０１２７】
《第１態様表示制御処理》
次いで、上述したステップＳ２４における「第１態様の表示制御処理」について、説明する。
【０１２８】
この「第１態様の表示制御処理」は、図１０に示されるように、まず、ステップＳ４１において、表示制御部３２０が、映像データＩＭＤAに対応する映像における「文字情報の映像」の表示領域を、字幕を表示するための領域から除外する。引き続き、ステップＳ４２において、表示制御部３２０が、「文字情報の映像」の表示領域を除外した領域中に字幕を表示するための領域を確保できるか否かを判定する。この判定の結果が否定的であった場合（ステップＳ４２：Ｎ）には、処理はステップＳ４３へ進む。
【０１２９】
ステップＳ４３では、表示制御部３２０は、字幕の表示を行わない字幕の非表示制御処理を行い、映像データＩＭＤAに対応する映像をそのまま表示させるための表示データＩＤＴAを生成する。そして、表示制御部３２０は、生成された表示データＩＤＴAを選択部２３５へ送る。この結果、表示デバイスには、字幕が重畳されていない放送映像が表示される。
【０１３０】
ステップＳ４３の処理が終了すると、ステップＳ２４の処理が終了する。こうしてステップＳ２４の処理が終了すると、上述した図８のステップＳ１６が終了する。そして、処理は上述した図７のステップＳ１０へ戻る。
【０１３１】
一方、ステップＳ４２における判定の結果が肯定的であった場合（ステップＳ４２：Ｙ）には、処理はステップＳ４４へ進む。ステップＳ４４では、表示制御部３２０が、「第２種優先表示映像の割り当て処理」を行う。
【０１３２】
（第２種優先表示映像の割り当て処理）
上述したステップＳ４４における「第２種優先表示映像の割り当て処理」について、説明する。
【０１３３】
この「第２種優先表示映像の割り当て処理」は、図１１に示されるように、まず、ステップＳ５１において、表示制御部３２０が、映像データＩＭＤAに対応する映像における「文字情報の映像」、「人物の顔の映像」及び「動きのある部分の映像」の表示領域を、字幕を表示するための領域から除外する。引き続き、ステップＳ５２において、表示制御部３２０が、「文字情報の映像」、「人物の顔の映像」及び「動きのある部分の映像」の表示領域を除外した領域中に字幕を表示するための領域を確保できるか否かを判定する。この判定の結果が肯定的であった場合（ステップＳ５２：Ｙ）には、処理はステップＳ５３へ進む。
【０１３４】
ステップＳ５３では、表示制御部３２０が、「文字情報の映像」、「人物の顔の映像」及び「動きのある部分の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ５３の処理が終了する。
【０１３５】
一方、ステップＳ５２における判定の結果が否定的であった場合（ステップＳ５２：Ｎ）には、処理はステップＳ５４へ進む。ステップＳ５４では、表示制御部３２０が、映像データＩＭＤAに対応する映像における「文字情報の映像」及び「人物の顔の映像」の表示領域を、字幕を表示するための領域から除外する。引き続き、ステップＳ５５において、表示制御部３２０が、「文字情報の映像」及び「人物の顔の映像」の表示領域を除外した領域中に字幕を表示するための領域を確保できるか否かを判定する。この判定の結果が肯定的であった場合（ステップＳ５５：Ｙ）には、処理はステップＳ５６へ進む。
【０１３６】
ステップＳ５６では、表示制御部３２０が、「文字情報の映像」及び「人物の顔の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ５６の処理が終了する。
【０１３７】
一方、ステップＳ５５における判定の結果が否定的であった場合（ステップＳ５５：Ｎ）には、処理はステップＳ５７へ進む。ステップＳ５７では、表示制御部３２０が、「文字情報の映像」を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ５７の処理が終了する。
【０１３８】
ステップＳ５３、ステップＳ５６又はステップＳ５７の処理が終了すると、ステップＳ４４の処理が終了する。こうしてステップＳ４４の処理が終了すると、上述した図１０のステップＳ２４が終了し、図８のステップＳ１６が終了する。そして、処理は上述した図７のステップＳ１０へ戻る。
【０１３９】
《第２態様表示制御処理》
次いで、上述したステップＳ２５における「第２態様の表示制御処理」について、説明する。
【０１４０】
この「第２態様の表示制御処理」は、図１２に示されるように、まず、ステップＳ６１において、表示制御部３２０が、映像データＩＭＤAに対応する映像における「文字情報の映像」の表示領域を、字幕を表示するための領域から除外する。引き続き、ステップＳ６２において、表示制御部３２０が、「文字情報の映像」の表示領域を除外した領域中に字幕を表示するための領域を確保できるか否かを判定する。この判定の結果が否定的であった場合（ステップＳ６２：Ｎ）には、処理はステップＳ６３へ進む。
【０１４１】
ステップＳ６３では、表示制御部３２０は、上述したステップＳ４３の場合と同様に、字幕の表示を行わない字幕の非表示制御処理を行い、映像データＩＭＤAに対応する映像をそのまま表示させるための表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ６３の処理が終了する。この結果、表示デバイスには、字幕が重畳されていない放送映像が表示される。
【０１４２】
一方、ステップＳ６２における判定の結果が肯定的であった場合（ステップＳ６２：Ｙ）には、処理はステップＳ６４へ進む。ステップＳ６４では、表示制御部３２０が、映像データＩＭＤAに対応する映像における「文字情報の映像」及び「人物の顔の映像」の表示領域を、字幕を表示するための領域から除外する。引き続き、ステップＳ６５において、表示制御部３２０が、「文字情報の映像」及び「人物の顔の映像」の表示領域を除外した領域中に字幕を表示するための領域を確保できるか否かを判定する。この判定の結果が肯定的であった場合（ステップＳ６５：Ｙ）には、処理はステップＳ６６へ進む。
【０１４３】
ステップＳ６６では、表示制御部３２０が、「文字情報の映像」及び「人物の顔の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ６６の処理が終了する。
【０１４４】
一方、ステップＳ６５における判定の結果が否定的であった場合（ステップＳ６５：Ｎ）には、処理はステップＳ６７へ進む。ステップＳ６７では、表示制御部３２０が、「文字情報の映像」を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ６７の処理が終了する。
【０１４５】
ステップＳ６３、ステップＳ６６又はステップＳ６７の処理が終了すると、ステップＳ２５の処理が終了する。こうしてステップＳ２５の処理が終了すると、上述した図８のステップＳ１６が終了する。そして、処理は上述した図７のステップＳ１０へ戻る。
【０１４６】
《第３態様表示制御処理》
次いで、上述したステップＳ２７における「第３態様の表示制御処理」について、説明する。
【０１４７】
この「第３態様の表示制御処理」は、図１３に示されるように、まず、ステップＳ７１において、表示制御部３２０が、映像データＩＭＤAに対応する映像における「文字情報の映像」の表示領域を、字幕を表示するための領域から除外する。引き続き、ステップＳ７２において、表示制御部３２０が、「文字情報の映像」の表示領域を除外した領域中に字幕を表示するための領域を確保できるか否かを判定する。この判定の結果が否定的であった場合（ステップＳ７２：Ｎ）には、処理はステップＳ７３へ進む。
【０１４８】
ステップＳ７３では、表示制御部３２０は、上述したステップＳ４３，Ｓ６３の場合と同様に、字幕の表示を行わない字幕の非表示制御処理を行い、映像データＩＭＤAに対応する映像をそのまま表示させるための表示データＩＤＴAを生成する。そして、表示制御部３２０は、生成された表示データＩＤＴAを選択部２３５へ送る。この結果、表示デバイスには、字幕が重畳されていない放送映像が表示される。この後、ステップＳ７３の処理が終了する。
【０１４９】
一方、ステップＳ７２における判定の結果が肯定的であった場合（ステップＳ７２：Ｙ）には、処理はステップＳ７４へ進む。ステップＳ７４では、表示制御部３２０が、映像データＩＭＤAに対応する映像における「文字情報の映像」及び「動きのある部分の映像」の表示領域を、字幕を表示するための領域から除外する。引き続き、ステップＳ７５において、表示制御部３２０が、「文字情報の映像」及び「動きのある部分の映像」の表示領域を除外した領域中に字幕を表示するための領域を確保できるか否かを判定する。この判定の結果が肯定的であった場合（ステップＳ７５：Ｙ）には、処理はステップＳ７６へ進む。
【０１５０】
ステップＳ７６では、表示制御部３２０が、「文字情報の映像」及び「動きのある部分の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。この後、ステップＳ７６の処理が終了する。
【０１５１】
一方、ステップＳ７５における判定の結果が否定的であった場合（ステップＳ７５：Ｎ）には、処理はステップＳ７７へ進む。ステップＳ７７では、表示制御部３２０が、「文字情報の映像」を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。この後、ステップＳ７７の処理が終了する。
【０１５２】
ステップＳ７３、ステップＳ７６又はステップＳ７７の処理が終了すると、ステップＳ２７の処理が終了する。こうしてステップＳ２７の処理が終了すると、上述した図８のステップＳ１６が終了する。そして、処理は上述した図７のステップＳ１０へ戻る。
【０１５３】
《第４態様表示制御処理》
次いで、上述したステップＳ２８における「第４態様の表示制御処理」について、説明する。
【０１５４】
この「第４態様の表示制御処理」は、図１４に示されるように、まず、ステップＳ８１において、表示制御部３２０が、映像データＩＭＤAに対応する映像における「文字情報の映像」の表示領域を、字幕を表示するための領域から除外する。引き続き、ステップＳ８２において、表示制御部３２０が、「文字情報の映像」の表示領域を除外した領域中に字幕を表示するための領域を確保できるか否かを判定する。この判定の結果が否定的であった場合（ステップＳ８２：Ｎ）には、処理はステップＳ８３へ進む。
【０１５５】
ステップＳ８３では、表示制御部３２０は、上述したステップＳ４３，Ｓ６３，Ｓ７３の場合と同様に、映像データＩＭＤAに対応する映像を表示させるための表示データＩＤＴAを生成する。そして、表示制御部３２０は、生成された表示データＩＤＴAを選択部２３５へ送る。この結果、表示デバイスには、字幕が重畳されていない放送映像が表示される。この後、ステップＳ８３の処理が終了する。
【０１５６】
一方、ステップＳ８２における判定の結果が肯定的であった場合（ステップＳ８２：Ｙ）には、処理はステップＳ８４へ進む。ステップＳ８４では、表示制御部３２０が、「文字情報の映像」を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。この後、ステップＳ８４の処理が終了する。
【０１５７】
ステップＳ８３又はステップＳ８４の処理が終了すると、ステップＳ２８の処理が終了する。こうしてステップＳ２８の処理が終了すると、上述した図８のステップＳ１６が終了する。そして、処理は上述した図７のステップＳ１０へ戻る。
【０１５８】
（第５態様表示制御処理）
上述したステップＳ３３における「第５態様の表示制御処理」について、説明する。
【０１５９】
この「第５態様の表示制御処理」は、図１５に示されるように、まず、ステップＳ９１において、表示制御部３２０が、解析結果ＡＮＲに基づいて、映像データＩＭＤAに対応する映像における「人物の顔の映像」及び「動きのある部分の映像」の表示領域を、字幕を表示するための領域から除外する。引き続き、ステップＳ９２において、表示制御部３２０が、「人物の顔の映像」及び「動きのある部分の映像」の表示領域を除外した領域中に字幕を表示するための領域を確保できるか否かを判定する。この判定の結果が肯定的であった場合（ステップＳ９２：Ｙ）には、処理はステップＳ９３へ進む。
【０１６０】
ステップＳ９３では、表示制御部３２０が、「人物の顔の映像」及び「動きのある部分の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ９３の処理が終了する。
【０１６１】
一方、ステップＳ９２における判定の結果が否定的であった場合（ステップＳ９２：Ｎ）には、処理はステップＳ９４へ進む。ステップＳ９４では、表示制御部３２０が、映像データＩＭＤAに対応する映像における「人物の顔の映像」の表示領域を、字幕を表示するための領域から除外する。引き続き、ステップＳ９５において、表示制御部３２０が、「人物の顔の映像」の表示領域を除外した領域中に字幕を表示するための領域を確保できるか否かを判定する。この判定の結果が肯定的であった場合（ステップＳ９５：Ｙ）には、処理はステップＳ９６へ進む。
【０１６２】
ステップＳ９６では、表示制御部３２０が、「人物の顔の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ９６の処理が終了する。
【０１６３】
一方、ステップＳ９５における判定の結果が否定的であった場合（ステップＳ９５：Ｎ）には、処理はステップＳ９７へ進む。ステップＳ９７では、表示制御部３２０が、「人物の顔の映像」及び「動きのある部分の映像」の表示領域を含む領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ９７の処理が終了する。
【０１６４】
ステップＳ９３、ステップＳ９６又はステップＳ９７の処理が終了すると、ステップＳ３３の処理が終了する。こうしてステップＳ３３の処理が終了すると、上述した図９のステップＳ２９が終了し、図８のステップＳ１６が終了する。そして、処理は上述した図７のステップＳ１０へ戻る。
【０１６５】
（第６態様表示制御処理）
上述したステップＳ３４における「第６態様の表示制御処理」について、説明する。
【０１６６】
この「第６態様の表示制御処理」は、図１６に示されるように、まず、ステップＳ１０１において、表示制御部３２０が、映像データＩＭＤAに対応する映像における「人物の顔の映像」の表示領域を、字幕を表示するための領域から除外する。引き続き、ステップＳ１０２において、表示制御部３２０が、「人物の顔の映像」の表示領域を除外した領域中に字幕を表示するための領域を確保できるか否かを判定する。この判定の結果が肯定的であった場合（ステップＳ１０２：Ｙ）には、処理はステップＳ１０３へ進む。
【０１６７】
ステップＳ１０３では、表示制御部３２０が、「人物の顔の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ１０３の処理が終了する。
【０１６８】
一方、ステップＳ１０２における判定の結果が否定的であった場合（ステップＳ１０２：Ｎ）には、処理はステップＳ１０４へ進む。ステップＳ１０４では、表示制御部３２０が、映像データＩＭＤAに対応する映像における「人物の顔の映像」の表示領域を含む領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ１０４の処理が終了する。
【０１６９】
ステップＳ１０３又はステップＳ１０４の処理が終了すると、ステップＳ３４の処理が終了する。こうしてステップＳ３４の処理が終了すると、上述した図９のステップＳ２９が終了し、図８のステップＳ１６が終了する。そして、処理は上述した図７のステップＳ１０へ戻る。
【０１７０】
（第７態様表示制御処理）
上述したステップＳ３６における「第７態様の表示制御処理」について、説明する。
【０１７１】
この「第７態様の表示制御処理」は、図１７に示されるように、まず、ステップＳ１０５において、表示制御部３２０が、映像データＩＭＤAに対応する映像における「動きのある部分の映像」の表示領域を、字幕を表示するための領域から除外する。引き続き、ステップＳ１０６において、表示制御部３２０が、「動きのある部分の映像」の表示領域を除外した領域中に字幕を表示するための領域を確保できるか否かを判定する。この判定の結果が肯定的であった場合（ステップＳ１０６：Ｙ）には、処理はステップＳ１０７へ進む。
【０１７２】
ステップＳ１０７では、表示制御部３２０が、「動きのある部分の映像」の表示領域を除外した領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ１０７の処理がする。
【０１７３】
一方、ステップＳ１０６における判定の結果が否定的であった場合（ステップＳ１０６：Ｎ）には、処理はステップＳ１０８へ進む。ステップＳ１０８では、表示制御部３２０が、映像データＩＭＤAに対応する映像における「動きのある部分の映像」の表示領域を含む領域中に字幕表示領域を設定する。引き続き、表示制御部３２０は、設定された字幕表示領域の映像データＩＭＤAに基づく映像に字幕を重ねた映像に対応する表示データＩＤＴAを生成する。そして、表示制御部３２０は、生成された表示データＩＤＴAを選択部２３５へ送る。こうして表示制御部３２０が表示データＩＤＴAを選択部２３５へ送ると、ステップＳ１０８の処理が終了する。
【０１７４】
ステップＳ１０７又はステップＳ１０８の処理が終了すると、ステップＳ３６の処理が終了する。こうしてステップＳ３６の処理が終了すると、上述した図９のステップＳ２９が終了し、図８のステップＳ１６が終了する。そして、処理は上述した図７のステップＳ１０へ戻る。
【０１７５】
なお、放送波の受信品質が所定値以上であり、選択部２３５によりＢ階層放送（１２セグ放送）が出力対象放送に選択された場合には、放送コンテンツ処理部１３３において、以下のようにして、字幕の表示処理が行われる。
【０１７６】
Ｂ階層復号部２３２が、デマルチプレクサ部１３２から送られたＢ階層データパケットＢＰＫのソースデコード処理を行い、復号音声データＤＡＤB、復号映像データＤＩＤB及び復号字幕データＤＣＤBを生成する。そして、Ｂ階層復号部２３２は、これらのデータをＢ階層処理部２３４へ送る（図４参照）。
【０１７７】
引き続き、Ｂ階層処理部２３４では、音声処理部２５１が、復号音声データＤＡＤBに基づいて音声データＡＤＴBを生成し、当該音声データＡＤＴBを選択部２３５へ送る。また、Ｂ階層処理部２３４では、映像処理部２５２が、復号映像データＤＩＤBに基づいて映像データＩＭＤBを生成し、当該映像データＩＭＤBを表示制御部２５６へ送る。さらに、Ｂ階層処理部２３４では、字幕処理部２５３が、復号字幕データＤＣＤBに基づいて字幕データＣＰＤBを生成し、当該字幕データＣＰＤBを表示制御部２５６へ送る。
【０１７８】
映像データＩＭＤB及び字幕データＣＰＤBを受けた表示制御部２５６は、映像データＩＭＤBに基づく映像に字幕を重ねた映像に対応する表示データＩＤＴBを生成する。そして、表示制御部２５６は、生成された表示データＩＤＴBを選択部２３５へ送る。（図６参照）。
【０１７９】
以上説明したように、本実施例では、表示制御装置３００の解析部３１０が、映像処理部２４２から送られた映像データＩＭＤAを解析し、映像データＩＭＤAに対応する映像について、字幕よりも表示優先度が高い第１種優先表示映像である「文字情報の映像」が含まれているかの解析、及び、字幕よりも表示優先度が低い第２種優先表示映像である「人物の顔の映像」、「動きのある部分の映像」が含まれているかの解析を行う。引き続き、解析部３１０は、映像データＩＭＤAに対応する映像に、優先表示映像である「文字情報の映像」、「人物の顔の映像」、「動きのある部分の映像」が含まれている場合には、映像データＩＭＤAに対応する映像における優先表示映像の表示デバイスでの表示領域を特定する。そして、解析部３１０は、映像データＩＭＤAに対応する映像に含まれている優先表示映像の種類及び当該優先表示映像の表示領域に関する情報を、解析結果ＡＮＲとして表示制御部３２０へ送る。
【０１８０】
また、解析部３１０は、映像データＩＭＤAに基づく映像に、「文字情報の映像」が含まれている場合には、当該文字情報の映像が動的であるか否かを解析する。そして、解析部３１０は、文字情報の映像が動的である場合には、その旨を解析結果ＡＮＲとして表示制御部３２０へ送る。また、文字情報が動的でなかった場合には、解析部３１０は、当該文字情報の内容を解析し、文字情報の映像が動的である旨、及び、当該文字情報の文字列の内容を、解析結果ＡＮＲとして表示制御部３２０へ送る。
【０１８１】
表示制御部３２０は、解析部３１０から送られた解析結果ＡＮＲを受けると、文字情報が動的であるか否かを判定する。そして、文字情報が動的であった場合には、表示制御部３２０が、字幕処理部２４３から送られた字幕データＣＰＤAの内容と文字情報の内容との比較を行うことなく、字幕の表示が必要であると判断する。したがって、本実施例によれば、文字情報が動的である場合には、字幕の表示が必要であることの判断を迅速に行うことができる。
【０１８２】
文字情報が動的でなかった（文字情報が静的であった）場合には、表示制御部３２０は、字幕処理部２４３から送られた字幕データＣＰＤAの内容と、解析結果ＡＮＲに含まれる文字情報の内容とを比較する。双方の内容が同一である場合には、表示制御部３２０は、字幕の表示は不要であると判断し、映像データＩＭＤAに対応する映像を表示させるための表示データＩＤＴAを生成する。そして、表示制御部３２０は、生成された表示データＩＤＴAを、選択部２３５を介して表示ユニット１６０へ送る。
【０１８３】
一方、字幕処理部２４３から送られた字幕データＣＰＤAの内容と、解析結果ＡＮＲに含まれる文字情報の内容とが異なる場合には、表示制御部３２０は、字幕の表示が必要であると判断する。字幕の表示が必要であると判断した場合に、表示制御部３２０は、字幕データＣＰＤAに対応する字幕を表示するための表示デバイスにおける領域の確保処理を行う。かかる確保処理に際して、表示制御部３２０は、第１種優先表示映像（「文字情報の映像」）が映像データＩＭＤAに対応する映像に含まれる場合には、当該第１種優先表示映像の表示領域と共通領域を含まない領域の映像情報に基づく映像上に、字幕を表示させる制御を行う。このため、第１種優先表示映像の表示デバイスでの表示を確保することができる。
【０１８４】
また、本実施例では、第２種優先表示映像（「人物の顔の映像」、「動きのある部分の映像」）が映像データＩＭＤAに対応する映像に含まれ、かつ、優先表示映像以外の映像の表示デバイスでの表示領域中に、字幕の表示領域を確保できない場合、字幕の表示領域が確保できるまで、第２種優先表示映像の表示領域を、表示優先度が低い順に、字幕表示領域に割り当てていく。このため、重要映像の継続的な表示を極力図りつつ、利用者にとって重要な情報である字幕を表示することができる。
【０１８５】
したがって、本実施例によれば、字幕の表示画面における表示位置が指定されない場合に、視聴者の字幕に対する視聴上の違和感の発生の防止を図りつつ、合理的な字幕表示を行うことができる。
【０１８６】
［実施例の変形］
本発明は、上記の実施例に限定されるものではなく、様々な変形が可能である。
【０１８７】
例えば、上記の実施例では、表示制御装置は、Ａ階層放送（ワンセグ放送）の放送コンテンツ及びＢ階層放送（１２セグ放送）の放送コンテンツを再生可能な放送受信装置に備えられることとした。これに対して、Ａ階層放送（ワンセグ放送）の放送コンテンツのみを再生可能な放送受信装置に、本発明の表示制御装置を備えるようにしてもよい。
【０１８８】
また、上記の実施例では、Ａ階層放送の地上デジタルテレビジョン放送の字幕データに対して、字幕の表示制御処理を行うこととした。これに対して、Ｂ階層放送の地上デジタルテレビジョン放送の字幕データに対して、字幕の表示制御処理を行うようにしてもよい。この場合には、番組作成者が指定した表示領域とは異なる領域に、字幕を表示することができる。
【０１８９】
また、上記の実施例では、映像データ及び字幕データを放送波により受信することにより取得することとしたが、映像データ及び字幕データを通信手段により取得するようにしてもよい。
【０１９０】
上記の実施例では、字幕よりも表示優先度が高い第１種優先表示映像として、テロップ等の「文字情報の映像」を例示した。これに対して、第１種優先表示映像として、「文字情報の映像」に加えて、又は、代えて、他の映像を採用してもよい。
【０１９１】
また、上記の実施例では、字幕よりも表示優先度が低い第２種優先表示映像として、「人物の顔の映像」及び「動きのある部分の映像」を示した。これに対して、第２種優先表示映像として、「人物の顔の映像」及び「動きのある部分の映像」に加えて、又は、代えて、他の映像を採用してもよい。また、第２種優先表示映像については、「人物の顔の映像」の表示優先度を「動きのある部分の映像」の表示優先度よりも高くしたが、「動きのある部分の映像」の表示優先度を「人物の顔の映像」の表示優先度よりも高く設定するようにしてもよい。
【０１９２】
また、本発明は、地上デジタルテレビジョン放送波を受信する放送受信装置に備えられる表示制御装置に限らず、ＢＳ（Broadcasting Satellite）デジタル放送やＣＳ（Communication Satellite）放送等の放送波を受信する放送受信装置に適用することができるのは勿論である。
【０１９３】
上記の表示制御装置の一部又は全部を中央処理装置（ＣＰＵ：Central Processing Unit）等を備えた演算手段としてのコンピュータとして構成し、予め用意されたプログラムを当該コンピュータで実行することにより、上記の実施形態における処理制御部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１９４】
３００  …  表示制御装置
３１０  …  解析部
３２０  …  表示制御部
７００  …  表示制御装置
７１０  …  解析部
７２０  …  表示制御部
【図１】
2018098633.tif 000003
【図２】
2018098633.tif 000004
【図３】
2018098633.tif 000005
【図４】
2018098633.tif 000006
【図５】
2018098633.tif 000007
【図６】
2018098633.tif 000008
【図７】
2018098633.tif 000009
【図８】
2018098633.tif 000010
【図９】
2018098633.tif 000011
【図１０】
2018098633.tif 000012
【図１１】
2018098633.tif 000013
【図１２】
2018098633.tif 000014
【図１３】
2018098633.tif 000015
【図１４】
2018098633.tif 000016
【図１５】
2018098633.tif 000017
【図１６】
2018098633.tif 000018
【図１７】
2018098633.tif 000019